(57)【要約】【課題】絶縁防護シートにより配電線を確実に挟持して絶縁防護することが可能な絶縁防護シート用クリップを提供する。【解決手段】絶縁防護シート用クリップ１は、絶縁シートにて配電線を挟持して絶縁防護する際に、絶縁シートから配電線が外れるのを防止するためのクリップであり、バネ部１０と、アーム部材２０ａ，２０ｂとを備えている。アーム部材２０ａ，２０ｂは、絶縁シートが挟み込まれてこの絶縁シートを介して配電線を挟持する挟持部２１ａ，２１ｂと、間接活線工具に挟持されるグリップ部２２ａ，２２ｂと、配電線が係止されて挟持部２１ａ，２１ｂから外れるのを防止する凹部２３ａ，２３ｂと、絶縁シートの形状を安定させる心材が挿入される心材挿入孔２４ａ，２４ｂと、挟持部２１ａ，２１ｂが開くのを防止する開き防止具２５と、を備えている。【選択図】  図１
2018117427.tif 000002
【特許請求の範囲】
【請求項１】
配電線を絶縁防護する絶縁シートと、前記絶縁シートの端部に固定されて前記配電線に沿って長尺に設けられて前記絶縁シートの形状を保持する心材と、を備えた絶縁防護シートに使用され、間接活線工具を用いて前記絶縁シートが２つ折りに重ね合わされ、前記絶縁シートが前記配電線を挟み込むときに前記絶縁シートと前記心材とを挟持する絶縁防護シート用クリップであって、
前記心材が先端に配設され、前記絶縁シートを介して前記配電線を挟持する一対の挟持部と、
前記挟持部の根元側に配設されて前記挟持部に押圧力を加えるバネ部と、
前記バネ部を挟んで前記挟持部の反対側に配設され、前記間接活線工具に挟持される一対のグリップ部と、を備え、
前記挟持部の前記配電線を挟持する位置には、前記配電線を挟持して前記挟持部から外れるのを防止する凹部が設けられ、
前記挟持部の先端側には、前記挟持部が開くのを防止する開き防止具が設けられている、
ことを特徴とする絶縁防護シート用クリップ。
【請求項２】
前記開き防止具は、一対の前記挟持部の一方の先端に鉤状に形成されて他方の先端を係止する、
ことを特徴とする請求項１に記載の絶縁防護シート用クリップ。
【請求項３】
前記開き防止具は、一対の前記挟持部の一方の先端に輪状に形成され、他方の先端が挿入されて係止される、
ことを特徴とする請求項１に記載の絶縁防護シート用クリップ。
【発明の詳細な説明】
【技術分野】
【０００１】
この発明は、配電線を絶縁防護する絶縁シートにて配電線を挟み込むときに、絶縁シートとその端部に固定された心材とを挟持する絶縁防護シート用クリップに関する。
【背景技術】
【０００２】
配電線の架線工事では、停電により需要家に影響を及ぼすことを防止するため、配電線に電流が流れている状態で工事を行う間接活線工法が用いられている。この間接活線工法では、絶縁ヤットコ等の間接活線工具を用いて作業が行われるが、短絡等の事故を防止するため、配電線の接続部分等、絶縁防護する必要がある箇所には、絶縁防護シートが被せられて絶縁防護される（例えば、特許文献１参照。）。
【０００３】
このような絶縁防護シートの例を、図４に示す。図４は、従来例の絶縁防護シート１００Ｂを示す図であり、絶縁防護シート１００Ｂを示す正面図（ａ）、及び斜視図（ｂ）である。絶縁防護シート１００Ｂは、主として絶縁シート３０と、絶縁防護シート用クリップ１Ｂとを備えている。絶縁シート３０は、配電線を絶縁防護するシートであり、主としてシート本体部３１と、一対の心材３２ａ，３２ｂとを備えている。シート本体部３１は、絶縁性を有する柔軟なシートにより略方形に形成されている。心材３２ａ，３２ｂは、シート本体部３１を配電線に取り付けるために形状を保持させるための絶縁性を有する長尺部材であり、シート本体部３１の対向する２辺に沿って、シート本体部３１の端部が縫い合わされてその中に固定されている。この絶縁シート３０は、心材３２ａ，３２ｂを密着させることでシート本体部３１を２つ折りに重ね合わせ、その間に配電線を挟み込むことで絶縁防護している。そのとき、絶縁シート３０から配電線が外れるのを防止するため、絶縁シート３０を挟持する絶縁防護シート用クリップ１Ｂが設けられている（例えば、特許文献２参照。）。
【０００４】
このような絶縁防護シート用クリップ１Ｂは、主としてバネ部１０と、一対のアーム部材２００ａ，２００ｂとを備えている。バネ部１０は、アーム部材２００ａ，２００ｂに絶縁シート３０を挟持するための押圧力を加える部材であり、例えば金属製の板バネ等により形成されている。アーム部材２００ａ，２００ｂは、間接活線工具により押圧されて開き、絶縁シート３０を挟持するための部材である。
【先行技術文献】
【特許文献】
【０００５】
【特許文献１】特開２０１６−０３４１８２号公報
【特許文献２】特開２００１−０２７２０９号公報
【発明の概要】
【発明が解決しようとする課題】
【０００６】
ところで、特許文献１に記載の絶縁防護具に用いられるクリップ、及び特許文献２に記載の間接工法用シートはさみは、配電線を挟持する箇所が略平坦に形成されているため、太い配電線を挟持する場合には外れやすいものであった。
【０００７】
そこでこの発明は、絶縁防護シートにより配電線を確実に挟持して絶縁防護することが可能であり、汎用性の高い絶縁防護シート用クリップを提供することを目的とする。
【課題を解決するための手段】
【０００８】
上記課題を解決するために、請求項１の発明は、配電線を絶縁防護する絶縁シートと、前記絶縁シートの端部に固定されて前記配電線に沿って長尺に設けられて前記絶縁シートの形状を保持する心材と、を備えた絶縁防護シートに使用され、間接活線工具を用いて前記絶縁シートが２つ折りに重ね合わされ、前記絶縁シートが前記配電線を挟み込むときに前記絶縁シートと前記心材とを挟持する絶縁防護シート用クリップであって、前記心材が先端に配設され、前記絶縁シートを介して前記配電線を挟持する一対の挟持部と、前記挟持部の根元側に配設されて前記挟持部に押圧力を加えるバネ部と、前記バネ部を挟んで前記挟持部の反対側に配設され、前記間接活線工具に挟持される一対のグリップ部と、を備え、前記挟持部の前記配電線を挟持する位置には、前記配電線を挟持して前記挟持部から外れるのを防止する凹部が設けられ、前記挟持部の先端側には、前記挟持部が開くのを防止する開き防止具が設けられている、ことを特徴とする。
【０００９】
この発明では、絶縁シートを介して配電線を挟持する一対の挟持部において、配電線を挟持する位置には配電線を挟持して挟持部から外れるのを防止する凹部が設けられ、先端側には、挟持部が開くのを防止する開き防止具が設けられている。
【００１０】
請求項２の発明は、請求項１に記載の絶縁防護シート用クリップにおいて、前記開き防止具は、一対の前記挟持部の一方の先端に鉤状に形成されて他方の先端を係止する、ことを特徴とする。
【００１１】
請求項３の発明は、請求項１に記載の絶縁防護シート用クリップにおいて、前記開き防止具は、一対の前記挟持部の一方の先端に輪状に形成され、他方の先端が挿入されて係止される、ことを特徴とする。
【発明の効果】
【００１２】
請求項１の発明によれば、挟持部の配電線を挟持する位置には、配電線を挟持して挟持部から外れるのを防止する凹部が設けられているので、配電線が凹部に収容されて挟持されるため、配電線を確実に挟持して絶縁防護することが可能になる。また、挟持部の先端側には、挟持部が開くのを防止する開き防止具が設けられているので、配電線が挟持部の中で滑って外れてしまうのを防止するため、配電線を確実に挟持して絶縁防護することが可能になる。さらに、配電線の太さが凹部の大きさに合わなくても挟持可能であるため、複数種類の配電線に対して使用することが可能であり、汎用性の高い絶縁防護シート用クリップを提供することができる。
【００１３】
請求項２の発明によれば、開き防止具は一対の挟持部の一方の先端に鉤状に形成され、他方の先端を係止するので、挟持部が開くことを防止できるため、配電線を確実に挟持して絶縁防護することが可能になる。
【００１４】
請求項３の発明によれば、開き防止具は一対の挟持部の一方の先端に輪状に形成され、他方の先端が挿入されて係止されるので、挟持部が開くことを防止できるため、配電線を確実に挟持して絶縁防護することが可能になる。
【図面の簡単な説明】
【００１５】
【図１】この発明の実施の形態１に係る絶縁防護シート用クリップ１を示す図であり、挟持部２１ａ，２１ｂが開いた状態を示す正面図（ａ）、及び挟持部２１ａ，２１ｂが閉じた状態を示す正面図（ｂ）である。
【図２】図１の絶縁防護シート用クリップ１を使用した絶縁防護シート１００を示す図であり、絶縁防護シート１００を示す正面図（ａ）、及び斜視図（ｂ）である。
【図３】この発明の実施の形態２に係る絶縁防護シート用クリップ１Ａを示す図であり、絶縁防護シート用クリップ１Ａを示す正面図（ａ）、及び開き防止具２５Ａを示す拡大左側面図（ｂ）である。
【図４】従来例の絶縁防護シート１００Ｂを示す図であり、絶縁防護シート１００Ｂを示す正面図（ａ）、及び斜視図（ｂ）である。
【発明を実施するための形態】
【００１６】
以下、この発明を図示の実施の形態に基づいて説明する。
【００１７】
（実施の形態１）
図１及び図２は、この発明の実施の形態１に係る絶縁防護シート用クリップ１を示しており、図１は、絶縁防護シート用クリップ１を示す図であり、挟持部２１ａ，２１ｂが開いた状態を示す正面図（ａ）、及び挟持部２１ａ，２１ｂが閉じた状態を示す正面図（ｂ）である。この絶縁防護シート用クリップ１は、図４に示すような絶縁シート３０にて配電線を挟持して絶縁防護する際に、絶縁シート３０から配電線が外れるのを防止するためのクリップである。この絶縁防護シート用クリップ１は、主としてバネ部１０と、一対のアーム部材２０ａ，２０ｂとを備えている。ここで、絶縁防護する配電線は、例えば、２５ｍｍ２、５８ｍｍ２、２００ｍｍ２の太さのものがある。
【００１８】
バネ部１０は、アーム部材２０ａ，２０ｂに絶縁シート３０を挟持するための押圧力を加える部材であり、例えば金属製の板バネ等により形成され、中央部分にアーム部材２０ａ，２０ｂの回動軸１１が設けられている。アーム部材２０ａ，２０ｂは、間接活線工具により押圧されて開き、絶縁シート３０を挟持するための部材であり、主として一対の挟持部２１ａ，２１ｂと、一対のグリップ部２２ａ，２２ｂと、凹部２３ａ，２３ｂと、心材挿入孔２４ａ，２４ｂと、開き防止具２５とを備えている。
【００１９】
一対の挟持部２１ａ，２１ｂは、絶縁シート３０が挟み込まれ、絶縁シート３０を介して配電線を挟持する箇所である。一対のグリップ部２２ａ，２２ｂは、バネ部１０を挟んで挟持部２１ａ，２１ｂの反対側であり、間接活線工具に挟持されて押圧させることで挟持部２１ａ，２１ｂを開くための箇所である。凹部２３ａ，２３ｂは、挟持部２１ａ，２１ｂの略中央箇所に設けられ、挟持部２１ａ，２１ｂによって挟持されている配電線が係止されて挟持部２１ａ，２１ｂから外れるのを防止する箇所である。心材挿入孔２４ａ，２４ｂは、挟持部２１ａ，２１ｂの先端に設けられ、心材３２ａ，３２ｂが挿入される箇所である。開き防止具２５は、挟持部２１ａ，２１ｂが開くのを防止する部材であり、挟持部２１ｂの先端に鉤状部材が形成され、図１（ｂ）に示すように対向する挟持部２１ａを係止するように形成されている。
【００２０】
次に、このような絶縁防護シート用クリップ１の作用等について、以下に説明する。
【００２１】
図２は、図１の絶縁防護シート用クリップ１を使用した絶縁防護シート１００を示す図であり、絶縁防護シート１００を示す正面図（ａ）、及び斜視図（ｂ）である。この絶縁防護シート１００は、図４に示す絶縁防護シート１００Ｂと同様の構成を備え、絶縁防護シート用クリップ１により挟持され、シート本体部３１が２つ折りに重ね合わせられている。また、心材３２ａ，３２ｂが心材挿入孔２４ａ，２４ｂに挿入されて固定されている。
【００２２】
この絶縁防護シート１００を用いて配電線を絶縁防護する場合、まず、絶縁ヤットコ等の間接活線工具を用いてグリップ部２２ａ，２２ｂを挟持して押圧すると、挟持部２１ａ，２１ｂが開き、これに合わせて心材３２ａと心材３２ｂとが離隔してシート本体部３１が開く。この状態で、開いたシート本体部３１の中に、心材３２ａ，３２ｂと平行になるように配電線を挿入し、凹部２３ａ，２３ｂに係止するように配置する。そして、間接活線工具の押圧力を弱めると、バネ部１０の押圧力により挟持部２１ａ，２１ｂが閉じられ、配電線が凹部２３ａと凹部２３ｂとの間に収容され、シート本体部３１を介して挟持部２１ａ，２１ｂに挟持される。その後、開き防止具２５を回転させて挟持部２１ａを係止すると、配電線がシート本体部３１に覆われて絶縁防護される。
【００２３】
このように、この絶縁防護シート用クリップ１によれば、挟持部２１ａ，２１ｂに凹部２３ａ，２３ｂが設けられ、配電線が挿入されて挟持されるので、配電線を確実に挟持して絶縁防護することが可能になる。また、開き防止具２５が設けられて挟持部２１ａを係止するので、配電線が挟持部２１ａ，２１ｂの中で滑って外れてしまうのを防止するため、配電線を確実に挟持して絶縁防護することが可能になる。さらに、配電線の太さが凹部２３ａ，２３ｂの大きさに合わなくても挟持可能であるため、複数種類の配電線に対して使用することが可能になる。
【００２４】
（実施の形態２）
図３は、この発明の実施の形態２に係る絶縁防護シート用クリップ１Ａを示す図であり、絶縁防護シート用クリップ１Ａを示す正面図（ａ）、及び開き防止具２５Ａを示す拡大左側面図（ｂ）である。この絶縁防護シート用クリップ１Ａは、実施の形態１に係る絶縁防護シート用クリップ１と同様に、絶縁シート３０にて配電線を挟持して絶縁防護する際に、絶縁シート３０から配電線が外れるのを防止するためのクリップであり、図１に示す開き防止具２５に替えて、開き防止具２５Ａを備えたものであり、その他の構成については、実施の形態１に係るスマートメータ１と同様である。
【００２５】
開き防止具２５Ａは、挟持部２１ａ，２１ｂが開くのを防止する部材である点において実施の形態１に係る係止部１６と同様であるが、挟持部２１ｂの先端に、例えば略方形の輪状に形成され、挟持部２１ａの先端が挿入されて係止するように、弾性を有する材料（例えば、ゴム材）により形成されている。これにより、配電線が挟持部２１ａ，２１ｂの中で滑って外れてしまうのを防止するため、配電線を確実に挟持して絶縁防護することが可能になる。
【００２６】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、絶縁防護する配電線の例として２５ｍｍ２、５８ｍｍ２、２００ｍｍ２の太さとしたが、この太さの配電線に限られない。
【００２７】
また、開き防止具２５及び開き防止具２５Ａに、間接活線工具にて挟持可能になるような突起・ツマミを設けても良い。これにより、容易に間接活線工具にて操作することが可能になる。
【符号の説明】
【００２８】
１，１Ａ，１Ｂ              絶縁防護シート用クリップ
１０                        バネ部
１１                        回動軸
２０ａ，２０ｂ              アーム部材
２１ａ，２１ｂ              挟持部
２２ａ，２２ｂ              グリップ部
２３ａ，２３ｂ              凹部
２４ａ，２４ｂ              心材挿入孔
２５，２５Ａ                開き防止具
３０                        絶縁シート
３１                        シート本体部
３２ａ，３２ｂ              心材
１００，１００Ｂ            絶縁防護シート
２００ａ，２００ｂ          アーム部
【図１】
2018117427.tif 000003
【図２】
2018117427.tif 000004
【図３】
2018117427.tif 000005
【図４】
2018117427.tif 000006